【事件の表示】
　特許第２７８２０９４号「パチンコ機の入賞表示装置」の特許に対する特許異議の申立てについて、次のとおり決定する。
【結　論】
　訂正を認める。
　特許第２７８２０９４号の特許を維持する。
【理　由】
１．手続きの経緯
　本件特許２７８２０９４号の請求項１に係る発明の出願は、平成１年８月１日に特許出願され、平成１０年５月２２日にその特許の設定登録がなされ、その後、その特許の請求項１に係る発明について上田実より特許異議の申立てがなされ、当審において取消理由通知がなされたところ、その指定期間である平成１１年８月２３日に訂正請求がされ、さらに訂正拒絶理由が通知され、平成１１年１２月１３日に手続補正書が提出されたものである。
２．訂正請求後の補正の適否
　特許権者が訂正請求後に提出した平成１１年１２月１３日付け手続補正書によれば、
訂正請求書中の訂正事項aについて、
『平成8年7月31日付の本件請求人提出に係る手続補正書により補正された特許明細書の特許請求の範囲に係る記載である「パチンコ機の入賞表示装置において、任意の設定された条件を満たすと図柄表示器の区画数を別の区画数に変化させる表示切換手段を設けたことを特徴とするパチンコ機の入賞表示装置」を、「パチンコ機の入賞表示装置において、任意の設定された条件を満たすと図柄表示器における当り判定用の図柄表示部の区画数を減少させ、該減少した当たり判定用の図柄表示部を表示するとともに、減少する以前の当たり判定用図柄表示部の一部を表示しない表示切換手段を設けたことを特徴とするパチンコ機の入賞表示装置」と訂正する。』を、
『平成8年7月31日付の本件請求人提出に係る手続補正書により補正された特許明細書の特許請求の範囲に係る記載である「パチンコ機の入賞表示装置において、任意の設定された条件を満たすと図柄表示器の区画数を別の区画数に変化させる表示切換手段を設けたことを特徴とするパチンコ機の入賞表示装置」を、「パチンコ機の入賞表示装置において、当たり判定用の図柄表示部の区画数が第1の区画数である第1の図柄表示部と、当たり判定用の図柄表示部の区画数が前記第1の区画数よりも少ない数の第2の区画数である第2の図柄表示部とを有する図柄表示器を備え、任意に設定された条件を満たすと、前記第1の図柄表示部を遊技者が視認可能な位置から視認不可能な位置に移動すると同時に前記第2の図柄表示部を遊技者が視認不可能な位置から視認可能な位置に移動することで、前記図柄表示器における当たり判定用の図柄表示部の区画数を減少させる表示切換手段を設けたことを特徴とするパチンコ機の入賞表示装置。」と訂正する。』と補正することを求めるものである。
　しかしながら、訂正請求書の補正における訂正事項の補正は、訂正事項の削除、及び軽微な瑕疵の補正等に限られ、新たに訂正事項を加える、あるいは訂正事項を変更することは、請求書の要旨の変更に該当する。
　ところで、上記補正は、新たに訂正事項を加える加えるものであり請求書の要旨を変更するものである。
　したがって、上記補正は認められない。
３．訂正の適否についての判断
（１）訂正の要旨
訂正事項ａ
　特許請求の範囲の請求項１を以下のとおり訂正する。
「パチンコ機の入賞表示装置において、任意の設定された条件を満たすと図柄表示器における当り判定用の図柄表示部の区画数を減少させ、該減少した当たり判定用の図柄表示部を表示するとともに、減少する以前の当たり判定用図柄表示部の一部を表示しない表示切換手段を設けたことを特徴とするパチンコ機の入賞表示装置。」
訂正事項ｂ
　特許明細書の第１頁第２６行〜同頁２８行の「本発明のパチンコ機の入賞表示装置は、任意の設定された条件を満たすと図柄表示器の区画数を別の区画数に変化させる表示切換手段を設けたことを特徴とする構成を有するものである。」を、「本発明のパチンコ機の入賞表示装置は、任意の設定された条件を満たすと図柄表示器における当り判定用の図柄表示部の区画数を減少させ、該減少した当たり判定用の図柄表示部を表示するとともに、減少する以前の当たり判定用の図柄表示部の一部を表示しない表示切換手段を設けたことを特徴とする構成を有するものである。」と訂正する。
（２）訂正の目的の適否、新規事項の有無及び拡張・変更の存否
訂正事項ａについて
　特許明細書の第２頁２０行〜第３頁４行には、「第１の図柄表示器１１の前面には、第３図で示すように、・・・ドットマトリックス発光体１４は６行５列を１組として４つの区画に分けられており、第１の図柄表示器１１には６行５列のドットマトリックス発光体１４よりなる第１表示部１５，第２表示部１６，第３表示部１７及び第４表示部１８が横方向に間隔を置いてそれぞれ設けられ、第１の図柄表示器１１の第１表示部１５，第２表示部１６，第３表示部１７及び第４表示部１８は各区画毎にそれぞれ変化する図柄の表示を行うようになっている。第２の図柄表示器１２の前面には、第４図に示すように、多数のドットマトリックス発光体１９が配設され、ドットマトリックス発光体１９は６行５列を１組として３つの区画に分けられており、第２の図柄表示器１２には６行５列のドットマトリックス発光体１９よりなる第１表示部２０，第２表示部２１及び第３表示部２２が横方向に間隔を置いてそれぞれ設けられ、第２の図柄表示器１２の第１表示部２０，第２表示部２１及び第３表示部２２は各区画毎にそれぞれ変化する図柄の表示を行うようになっている。」と記載され、同明細書の第６頁２７行〜第７頁２５行には、「 遊技者がパチンコ機の遊技盤面上に遊技球を弾発して遊技を行い、第１図柄表示器１１は第１表示部１５，第２表示部１６，第３表示部１７及び第４表示部１８により図柄を表示し、第１の図柄表示器１１の第１表示部１５，第２表示部１６，第３表示部１７及び第４表示部１８の図柄の特定の組合せによる大当たりの確率が１／２５０で１０通りとなる。また、遊技中において、・・・第１の図柄表示器１１の第１表示部１５，第２表示部１６，第３表示部１７及び第４表示部１８がそれぞれ変動する。その後、第１の図柄表示器１１の第１表示部１５，第２表示部１６，第３表示部１７及び第４表示部１８の変動が停止し、ある設定された条件として第１表示部１５，第２表示部１６，第３表示部１７及び第４表示部１８に所定の図柄が得られると大当りとなり、・・・大当りと同時に、第１の図柄表示器１１が・・・第２の図柄表示器１２へと移行し、・・・第２の図柄表示器１２は第１表示部２０，第２表示部２１及び第３表示部２２により図柄を表示し、第２の図柄表示器１２の第１表示部２０，第２表示部２１及び第３表示部２２の図柄の特定の組合せによる大当りの確率が１／５０で５通りとなる。次いで、・・・第２の図柄表示器１２の第１表示部２０，第２表示部２１及び第３表示部２２がそれぞれ変動する。その後、第２の図柄表示器１２の第１表示部２０，第２表示部２１及び第３表示部２２の変動が停止し、ある設定された条件として第１表示部２０，第２表示部２１及び第３表示部２２に所定の図柄が得られると大当たりとなり、」と記載されている。
　上記記載事項からみて、第１の図柄表示器１１の第１表示部１５，第２表示部１６，第３表示部１７及び第４表示部１８から構成されるものが当たり判定用の図柄表示部であり、前記図柄表示部は区画数を有し、任意の設定された条件を満たすと区画数が減少し、また、第２の図柄表示器１２の第１表示部２０，第２表示部２１及び第３表示部２２から構成されるものが減少した当たり判定用の図柄表示部と認められる。
　したがって、訂正事項ａによる訂正は、特許明細書に記載された事項の範囲内においてなされたものであり、かつ、特許請求の範囲を拡張または変更するものではなく、特許請求の範囲の減縮を目的とするものである。
訂正事項ｂについて
　訂正事項ｂによる訂正は、訂正事項ａによる訂正に伴って特許請求の範囲の記載と発明の詳細な説明との整合を図るものであり、明りょうでない記載の釈明を目的とするものである。
（３）独立特許要件の判断
　訂正請求による訂正明細書の特許請求の範囲の請求項１に係る発明は、訂正後の特許請求の範囲の請求項１に記載された事項により特定される次のとおりのものと認める。
「パチンコ機の入賞表示装置において、任意の設定された条件を満たすと図柄表示器における当り判定用の図柄表示部の区画数を減少させ、該減少した当たり判定用の図柄表示部を表示するとともに、減少する以前の当たり判定用図柄表示部の一部を表示しない表示切換手段を設けたことを特徴とするパチンコ機の入賞表示装置。」（以下、「本件発明」という。）
（引用例）
　当審が通知した取消理由で引用した引用例には、それぞれ以下のとおり記載されている。
引用例１：実願昭６１−１５２００１号（実開昭６３−５９６８２号）の全　　　　　文明細書及び図面（甲第１号証）
　引用例１には、「次に、本考案に係るパチンコ遊技機の動作を第１図〜第５図に基づいて説明する。大入賞口（４）の扉（５）を開く権利が発生していない状態（以下、通常状態という）で遊技球が特定入賞口（１）に入賞すると特別装置（３）が作動し、・・・左のセグメント表示体（２ａ）に数字が表示される。この表示された数字があらかじめ定められている数字（例えば７）と一致した場合に限り、大入賞口（４）の扉（５）を開く権利が発生する。この権利発生期間内に始動口（２０）に遊技球が入賞すると、大入賞口（４）の扉（５）が開き、・・・大入賞口（４）に入賞した遊技球の数を知らせるようになっている。・・・また、権利発生期間内に遊技球が特定入賞口（１）に入賞すると、特別装置（３）が作動し、再度セグメント表示体（２ａ）に数字が表示される。・・・同時に遊技球が特定入賞口（１）に入賞した場合、数値が可変表示されるセグメント表示体（２ａ）を別のセグメント表示体（２ｂ）に位置を変更する。・・・上述のように権利を発生及び消滅させる数字が、権利が発生し、その後消滅するごとに、左のセグメント表示体（２ａ）から中央のセグメント表示体（２ｂ）、右のセグメント表示体（２ｃ）へと順次移動しながら表示されるようになっている。」（１３頁１行〜第１５頁１１行）と記載されている。
引用例２：実願昭６１−２１７１２号（実開昭６２−１３３６８５号）の全　　　　　文明細書および図面（甲第２号証）
  引用例２には、「そして遊技が行なわれ、・・・入賞口１４〜１６への入賞であったときには、・・・ドットマトリックス表示器５３〜５７に例えば、ゲーム開始といった意味で「Let’s」といったようなメッセージを表示させたのちに当該表示器５４〜５６の明るさを明るく切換えて可変表示を行わせる。・・・表示器５４〜５６の明るさはそのままで可変表示が停止される。・・・この役物動作中に、特定入賞口８０への入賞が有れば、ＣＰＵ１１２は再度役動作を繰返させる。この繰り返し数は表示器５５で表示され、」（第２３頁１６行〜第２５頁１６行）と記載されている。
引用例３：特開昭６４−２２２７１号公報 （甲第４号証）
　引用例３には、「付帯ゲーム装置３は数値表示器（例えば７セグメントＬＥＤ）３ａ・３ｂ・３ｃ・３ｄ・３ｅ・３ｆ・３ｇ・３ｈ・３ｉを有し、作動単位毎に単位ゲーム装置を構成する。第２図に示す様に、数値表示器３ａ・３ｂ・３ｃによって単位ゲーム装置３αを構成し、数値表示器３ｄ・３ｅ・３ｆによって単位ゲーム装置３βを構成し、数値表示器３ｇ・３ｈ・３ｉによって単位ゲーム装置３γを構成し、各単位ゲーム装置３α・３β・３γを作動単位として所謂スロットゲームが開始される。なお、スロットゲームのゲーム結果の判別は単位ゲーム装置単位の他に数値表示器３ｃ・３ｅ・３ｇの組み合わせ、及び数値表示器３ａ・３ｅ・３ｉの組み合わせによっても行われる。」（公報第３頁左上欄１４行〜同頁右上欄７行）と記載され、「特定入賞領域４ａ〜４ｃへの入賞を特定入賞センサー５ａ〜５ｃが検出すると単位ゲーム装置３αが作動を開始して、その表示内容が高速度で変化する。この時、既に何れかの特定入賞領域４ａ〜４ｃへの入賞により単位ゲーム装置３αが作動中であれば単位ゲーム装置３βが作動を開始する。更に、単位ゲーム装置３α及び単位ゲーム装置３βが共に作動中であれば単位ゲーム装置γが作動を開始し、単位ゲーム装置３α・３β・３γの全てが作動中であれば以下は特定入賞領域４ａ〜４ｃへの入賞を最大４個まで記憶し、記憶表示器３ｊ〜３ｍに表示する。・・・スロットゲームの結果の判別は単位ゲーム装置３α〜３γ毎に行うとともに、・・・例えば、各単位ゲーム装置３α〜３γを構成する数値表示器の表示数値、数値表示器３ａ・３ｅ・３ｉの表示数値、又は、３ｃ・３ｅ・３ｇの表示数値が一致して、且つその値が奇数の場合に大当たりと判断する。」（公報第３頁左下欄１０行〜同頁右下欄１６行）と記載されている。
引用例４：実願昭６３−６７６２８号（実開平１−１７０２８８号）の全文　　　　　明細書および図面（甲第３号証、先願明細書）                　引用例４には、「遊技球が始動入賞口８のいづれかに入賞すると各セグメント型デイジタル表示各２２ａ〜２２ｃの「０〜９」の表示が独自にゆっくりと変動を開始し、一定時間経過後、各表示器２２ａ〜２２ｃの表示の変動が一定間隔を置いて順に停止され、その停止時における各表示器２２ａ〜２２ｃの表示の組合せで特定遊技状態が発生する。・・・そして、特定遊技状態が発生すると、・・・可変表示装置７の減速モータ３０を駆動し、さらに可動体２１の胴部の大当たりランプ２８を点滅させる。・・・減速モータ３０の駆動によりカム円板４１が回転し、・・・可動体２１は・・・１８０度回転して後向きに反転し、・・・減速モータ３０が停止する。上述のように、可動体２１が反転して後向きになると・・・開放回数表示器２５の表示及び入賞個数表示ランプ２６の点灯個数が遊技者に視認可能となる。」（第８頁１７行〜第１０頁１３行）と記載されている。
（対比・判断）
ア．本件発明と、引用例１〜引用例３にそれぞれ記載された発明とを対比すると、両者は、「パチンコ機の入賞表示装置において、任意の設定された条件を満たすと図柄表示器の区画数を別の区画数に変化させる表示切換手段を設けたパチンコ機の表示装置」の構成において一致するが、引用例１〜引用例３のいずれにも、本件発明の「任意の設定された条件を満たすと図柄表示器における当り判定用の図柄表示部の区画数を減少させ、該減少した当たり判定用の図柄表示部を表示するとともに、減少する以前の当たり判定用図柄表示部の一部を表示しない表示切換手段」の構成（以下、「特定事項」という。）が記載されておらず、また、前記特定事項を示唆する記載も認められない。
　したがって、本件発明は、引用例１〜引用例３に記載された発明であるものとは認められない。
　さらに、引用例１〜引用例３に記載された発明を寄せ集めても、前記特定事項を当業者が容易に想到することができないものと認められる。
　本件発明は、前記特定事項を備えることにより特許明細書に記載された格別顕著な作用効果を奏するものと認められ、引用例１〜引用例３に記載された発明に基づいて当業者が容易に発明をすることができたものとは認められない。
イ．本件発明と、引用例４（先願明細書）に記載された発明とを対比すると、両者は、「パチンコ機の入賞表示装置において、任意の設定された条件を満たすと図柄表示器の区画数を別の区画数に変化させる表示切換手段を設けたパチンコ機の表示装置」の構成において一致するが、引用例４には、本件発明の「任意の設定された条件を満たすと図柄表示器における当り判定用の図柄表示部の区画数を減少させ、該減少した当たり判定用の図柄表示部を表示するとともに、減少する以前の当たり判定用図柄表示部の一部を表示しない表示切換手段」の構成を備えていない。
　したがって、本件発明は、先願明細書に記載された発明と同一であるものとは認められない。
　よって、本件発明は、特許出願の際独立して特許を受けることができるものと認める。
（むすび）                                   
　以上のとおりであるから、上記訂正は特許法第１２０条の４第２項及び第３項において準用する特許法第１２６条第２−４項の規定に適合するので、当該訂正を認める。
３．特許異議申立てについての判断
  異議申立ての理由の概要
異議申立人　上田実は甲第１号証（実願昭６１−１５２００１号（実開昭６３−５９６８２号）の全文明細書及び図面））、甲第２号証（実願昭６１−２１７１２号（実開昭６２−１３３６８５号）の全文明細書および図面））、甲第３号証（実願昭６３−６７６２８号（実開平１−１７０２８８号）の全文明細書および図面）および甲第４号証（特開昭６４−２２２７１号公報）を提出して、本件特許発明は、甲第１号証（又は甲第２号証，甲第４号証）に記載された発明であり、特許法第２９条第１項第３号の規定に違反して特許されたものであり、または、本件特許発明は、甲第１号証および甲第２号証（又は甲第４号証）に記載された発明に基づいて当業者が容易に発明をすることができたものであり、特許法第２９条第２項に規定に違反して特許されたものであり、さらに、本件特許発明は、本件出願の日前に他の出願であって、その出願後に出願公開された実願昭６３−６７６２８号（実開平１−１７０２８８号）の願書に最初に添付した明細書又は図面（甲第３号証、先願明細書）に記載された発明と同一であるので、特許法第２９条の２に規定に違反して特許されたものである旨主張している。
（対比・判断）
　甲第１号証、甲第２号証、甲第４号証は、当審で取消理由で引用した引用例１、引用例２、引用例３であり、甲第３号証は、同じく取消理由で引用した引用例４であることから、本件発明と各甲号証との対比・判断は、上記３．（３）独立特許要件の対比・判断ア、イで述べたものと同様である。
　よって、異議申立人の主張は採用しない。
４．むすび
　以上のとおりであるから、特許異議申立ての理由および証拠よっては、本件発明に係る特許を取り消すことはできない。
　また、他に本件発明に係る特許を取り消すべき理由を発見しない。
　したがって、本件発明に係る特許は拒絶をしなければならない特許出願に対してなされたものとは認めない。　
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、上記のとおり決定する。    
【異議決定日】
平成１２年８月２日（２０００．８．２）
【訂正の要旨】
（１）訂正の要旨
訂正事項ａ
　特許請求の範囲を以下のとおり訂正する。
「パチンコ機の入賞表示装置において、任意の設定された条件を満たすと図柄表示器における当り判定用の図柄表示部の区画数を減少させ、該減少した当たり判定用の図柄表示部を表示するとともに、減少する以前の当たり判定用図柄表示部の一部を表示しない表示切換手段を設けたことを特徴とするパチンコ機の入賞表示装置。」
訂正事項ｂ
　特許明細書の第１頁第２６行〜同頁２８行の「本発明のパチンコ機の入賞表示装置は、任意の設定された条件を満たすと図柄表示器の区画数を別の区画数に変化させる表示切換手段を設けたことを特徴とする構成を有するものである。」を、「本発明のパチンコ機の入賞表示装置は、任意の設定された条件を満たすと図柄表示器における当たり判定用の図柄表示部の区画数を減少させ、該減少した当たり判定用の図柄表示部を表示するとともに、減少する以前の当たり判定用の図柄表示部の一部を表示しない表示切換手段を設けたことを特徴とする構成を有するものである。」と訂正する。
（５４）【発明の名称】
パチンコ機の入賞表示装置
（５７）【特許請求の範囲】
　パチンコ機の入賞表示装置において、
当たり判定用の図柄表示部の区画数が第１の区画数である第１の図柄表示部と、当たり判定用の図柄表示部の区画数が前記１の区画数よりも少ない数の第２の区画数である第２の図柄表示部とをする図柄表示器を備え、
前記第１の図柄表示部を遊技者が視認可能な位置から視認不可能な位置に動すると同時に前記第２の図柄表示部を遊技者が視認不可能な位置から視認可能な位置に移動することで、
減少させる
【発明の詳細な説明】
　産業上の利用分野
　本発明は、遊技球を弾発して遊技を行なうパチンコ機の入賞表示装置に関するものである。
　従来の技術
　従来、センター役物の基体の中央付近に多数のドットマトリックス発光体を有する複数の図柄表示器を横一列にそれぞれ並設し、図柄表示器の図柄を遊技球の始動入賞口ヘの入賞によりそれぞれ変化させるようにしたパチンコ機の入賞表示装置が知られている。
　発明が解決しようとする課題
　ところが、従来のパチンコ機の入賞表示装置は、図柄表示器を特定の複数の区画に分けて各区画毎にそれぞれ変化する図柄の表示を行うにすぎないものであった。
　本発明の目的は、遊技中において、ある任意の設定された条件を満たすと、区画数切換手段が図柄表示器の区画数を別の区画数に切り換えることにより変化させ、遊技者に対して視覚的変化を与え、遊技状態が変わったことを認識させることができるパチンコ機の入賞表示装置を提供することにある。
　課題を解決するための手段
　本発明のパチンコ機の入賞表示装置は、
当たり判定用の図柄表示部の区画数が第１の区画数である第１の図柄表示部と、当たり判定用の図柄表示部の区画数が前記第１の区画数よりも少ない数の２の区画数である２の図柄表示部とを有する図柄表示器を備え、
前記第１の図柄表示部を遊技者が視認可能な位置から視認不可能な位置に移動すると同時に前記第２の図柄表示部を遊技者が視認不可能な位置から視認可能な位置に移動することで、
減少させる
　作用
　遊技中において、図柄表示器が複数の区画に分かれた各区画毎にそれぞれ変化する表示を行い、任意の設定された条件を満たすと、表示切換手段が図柄表示器の区画数を別の区画数に変化させる。
　実施例
　以下、本発明の実施例を図面に基づいて詳細に説明する。
　第１図において、１はパチンコ機の入賞表示装置となるセンター役物であり、センター役物１のベースプレート２の中央付近には、第２図に示すように、凹部３が形成され、凹部３には窓孔４が開口して設けられ、ベースプレート２の窓孔４には透明部材からなるレンズカバー５が設けられている。
　べースプレート２の凹部３の上方には遊技球の入賞部６が形成され、ベースプレート２の凹部３の下方には複数の第１のＬＥＤ表示灯７が横一列にそれぞれ並設され、第１のＬＥＤ表示灯７の下部には複数の第２のＬＥＤ表示灯８が横一列にそれぞれ並設され、第２のＬＥＤ表示灯８の下部には複数の第３のＬＥＤ表示灯９が横一列にそれぞれ並設されている。
　センター役物１のベースプレート２の裏側には、第２図に示すように、扇形の支持体１０が揺動自在に設けられ、支持体１０の外周縁１０ａの中央付近にはレンズカバー５に臨んで第１の図柄表示器１１が設けられ、第１の図柄表示器１１の上部には第２の図柄表示器１２が設けられ、第１の図柄表示器１１の下部には第３の図柄表示器１３が設けられている。
　第１の図柄表示器１１の前面には、第３図に示すように、多数のドットマトリックス発光体１４が配設され、ドットマトリックス発光体１４は６行５列を１組として４つの区画に分けられており、第１の図柄表示器１１には６行５列のドットマトリックス発光体１４よりなる第１表示部１５，第２表示部１６，第３表示部１７及び第４表示部１８が横方向に間隔を置いてそれぞれ設けられ、第１の図柄表示器１１の第１表示部１５，第２表示部１６，第３表示部１７及び第４表示部１８は各区画毎にそれぞれ変化する図柄の表示を行うようになっている。
　第２の図柄表示器１２の前面には、第４図に示すように、多数のドットマトリックス発光体１９が配設され、ドットマトリックス発光体１９は６行５列を１組として３つの区画に分けられており、第２の図柄表示器１２には６行５列のドットマトリックス発光体１９よりなる第１表示部２０，第２表示部２１及び第３表示部２２が横方向に間隔を置いてそれぞれ設けられ、第２の図柄表示器１２の第１表示部２０，第２表示部２１及び第３表示部２２は各区画毎にそれぞれ変化する図柄の表示を行うようになっている。
　第３の図柄表示器１３の前面には、第５図に示すように、多数のドットマトリックス発光体２３が配設され、ドットマトリックス発光体２３は６行５列を１組として２つの区画に分けられており、第３の図柄表示器１３には６行５列のドットマトリックス発光体２３よりなる第１表示部２４及び第２表示部２５が横方向に間隔を置いてそれぞれ設けられ、第３の図柄表示器１３の第１表示部２４及び第２表示部２５は各区画毎にそれぞれ変化する図柄の表示を行うようになっている。
　支持体１０には、第２図に示すように、外周縁１０ａに沿って円弧状の誘導孔２６が設けられ、支持体１０の誘導孔２６には支持ピン２７が係合され、支持体１０のコーナー部１０ｂには任意の設定された条件を満たすと図柄表示器の区画数を別の区画数に変化させる表示切換手段となるモータＭの駆動軸２８が連結され、モータＭは第１の図柄表示器１１を支持体１０を介して第２の図柄表示器１２あるいは第３の図柄表示器１３へと切り換えられるようになっている。
　第６図は第１の図柄表示器１１から第２の図柄表示器１２あるいは第３の図柄表示器１３へ移行するパターンを示すものであり、まず、パチンコ機の電源を投入すると、第１の図柄表示器１１が、第１図に示すように、センター役物１のベースプレート２のレンズカバー５に臨むと共に、支持ピン２７が、第２図に示すように、支持体１０の誘導孔２６の中央に位置し、遊技者がパチンコ機の遊技盤面上に遊技球を弾発して遊技を行い、第１の図柄表示器１１は第１表示部１５，第２表示部１６，第３表示部１７及び第４表示部１８により図柄を表示し、第１の図柄表示器１１の第１表示部１５，第２表示部１６，第３表示部１７及び第４表示部１８の図柄の特定の組合せによる大当りの確率が１／２５０で５通りとなる。
　また、遊技中において、ある設定された条件を満たすと、モータＭを駆動し、モータＭの駆動軸１８が支持体１０を第２図の図面矢印ａ方向に回動し、第１の図柄表示器１１がモータＭにより第２の図柄表示器１２へと移行し、第２の図柄表示器１２が、第７図に示すように、センター役物１のベースプレート２のレンズカバー５に臨むと共に、支持ピン２７が、第８図に示すように、支持体１０の誘導孔２６の上端２６ａに位置し、第２の図柄表示器１２は第１表示部２０，第２表示部２１及び第３表示部２２により図柄を表示し、第２の図柄表示器１２の第１表示部２０，第２表示部２１及び第３表示部２２の図柄の特定の組合せによる大当りの確率が１／１００で３通りとなる。
　次いで、第２の図柄表示器１２へ移行して第６図に示す時間ｔ１が経過すると、モータＭを駆動し、モータＭの駆動軸１８が支持体１０を第２図の図面矢印ｂ方向に回動し、第２の図柄表示器１２がモータＭにより第１の図柄表示器１１へと移行し、第１の図柄表示器１１がセンター役物１のベースプレート２のレンズカバー５に臨む。
　さらに、遊技中において、ある設定された別の条件を満たすと、モータＭを駆動し、モータＭの駆動軸１８が支持体１０を第２図の図面矢印ｂ方向に回動し、第１の図柄表示器１１がモータＭにより第３の図柄表示器１３へと移行し、第３の図柄表示器１３が、第９図に示すように、センター役物１のベースプレート２のレンズカバー５に臨むと共に、支持ピン２７が、第１０図に示すように、支持体１０の誘導孔２６の下端２６ｂに位置し、第３の図柄表示器１３は第１表示部２４及び第２表示部２５により図柄を表示し、第３の図柄表示器１３の第１表示部２４及び第２表示部２５の図柄の特定の組合せによる大当りの確率が１／２０で１通りとなる。
　次いで、第３の図柄表示器１３へ移行して第６図に示す時間ｔ２が経過すると、モータＭを駆動し、モータＭの駆動軸１８が支持体１０を第２図の図面矢印ａ方向に回動し、第３の図柄表示器１３がモータＭにより第１の図柄表示器１１へと移行し、第１の図柄表示器１１がセンター役物１のベースプレート２のレンズカバー５に臨む。
　第６図における、ある設定された条件の一例としては、遊技中において、遊技球が特定のチャッカーに入賞すると、第１の図柄表示器１１から第２の図柄表示器１２へと移行し、遊技中において、遊技球の始動入賞口への入賞数が一定個数以上にオーバーフローすると、第１の図柄表示器１１から第２の図柄表示器１２へと移行する。
　また、遊技中において、第１の図柄表示部１１の第１表示部１５，第２表示部１６，第３表示部１７及び第４表示部１８に例えば数字の７のような特定の図柄が横一列に連続して３つ並ぶと、第１の図柄表示器１１から第３の図柄表示器１３へと移行する。
　さらに、遊技中において、遊技球が特定のチャッカーに入賞すると、センター役物１のべースプレート２の第１のＬＥＤ表示灯７，第２のＬＥＤ表示灯８及び第３のＬＥＤ表示灯９をランダムに点滅し、一定時間が経過した後、第１のＬＥＤ表示灯７，第２のＬＥＤ表示灯８及び第３のＬＥＤ表示灯９の点滅を停止し、第１のＬＥＤ表示灯７が横一列に点灯すると、第１の図柄表示器１１のまま移行せず、第２のＬＥＤ表示灯８が横一列に点灯すると、第１の図柄表示器１１から第２の図柄表示器１２へと移行し、第３のＬＥＤ表示灯９が横一列に点灯すると、第１の図柄表示器１１から第３の図柄表示器１３へと移行する。
　第１１図は第１の図柄表示器１１，第２の図柄表示器１２及び第３の図柄表示器１３の移行する別のパターンを示すものである。
　まず始めに、パチンコ機の電源を投入すると、第１１ａ図に示すように、第１の図柄表示器１１から第２の図柄表示器１２あるいは第３の図柄表示器１３へは全く移行しない第１のパターンとして設定しておく。
　また、パチンコ機の電源を投入し、遊技中において、ある設定された条件を満たすと、第１１ｂ図に示すように、第１の図柄表示器１１がモータＭにより第２の図柄表示器１２へと移行し、第２の図柄表示器１２へ移行して時間ｔ３が経過した後、第２の図柄表示器１２がモータＭにより第１の図柄表示器１１へと移行する第２のパターンとして設定しておく。
　また、パチンコ機の電源を投入し、遊技中において、ある設定された条件を満たすと、第１１ｃ図に示すように、第１の図柄表示器１１がモータＭにより第３の図柄表示器１３へと移行し、第３の図柄表示器１３へ移行して時間ｔ４が経過した後、第３の図柄表示器１３がモータＭにより第１の図柄表示器１１へと移行し、次いで、ある設定された別の条件を満たすと、第１の図柄表示器１１がモータＭにより第３の図柄表示器１３へと移行し、第３の図柄表示器１３へ移行して時間ｔ５が経過した後、第３の図柄表示器１３がモータＭにより第１の図柄表示器１１へと移行する第３のパターンとして設定しておく。
　さらに、パチンコ機の電源を投入し、遊技中において、ある設定された条件を満たすと、第１１ｄ図に示すように、第１の図柄表示器１１がモータＭにより第２の図柄表示器１２へと移行し、第２の図柄表示器１２へ移行して時間ｔ６が経過した後、第２の図柄表示器１２がモータＭにより第３の図柄表示器１３へと移行し、第３の図柄表示器１３へ移行して時間ｔ７が経過した後、第３の図柄表示器１３から第１の図柄表示器１１へと移行する第４のパターンとして設定しておく。
　第１のパターン，第２のパターン，第３のパターン及び第４のパターンをランダムに選択するようにする。
　しかも、第４のパターンを予め設定していても、第４のパターンが遊技者に読まれないように、第２の図柄表示器１２へ移行している時間ｔ６及び第３の図柄表示器１３へ移行している時間ｔ７は、第１２ａ図，第１２ｂ図及び第１２ｃ図に示すように、その長さが毎回異なるようになっている。
　第１３図は本発明の他の実施例を示し、センター役物１は第１図に示す実施例と同様のものであり、センター役物１のベースプレート２の凹部３下方の第１のＬＥＤ表示灯７，第２のＬＥＤ表示灯８及び第３のＬＥＤ表示灯９はそれぞれ連続回数表示灯とされている。
　センター役物１の下方には、第１３図に示すように、下部入賞装置３０が設けられ、下部入賞装置３０のベースプレート３１には大入賞口３２を有する開閉板３３が設けられ、開閉板３３の両側には始動入賞口３４を有する表示灯３５，３５がそれぞれ設けられている。
　次に、この実施例の作用について説明する。
　まず、パチンコ機の電源を投入すると、第１の図柄表示器１１が第１図に示すセンター役物１のベースプレート２のレンズカバー５に臨み、遊技者がパチンコ機の遊技盤面上に遊技球を弾発して遊技を行い、第１の図柄表示器１１は第１表示部１５，第２表示部１６，第３表示部１７及び第４表示部１８により図柄を表示し、第１の図柄表示器１１の第１表示部１５，第２表示部１６，第３表示部１７及び第４表示部１８の図柄の特定の組合せによる大当りの確率が１／２５０で１０通りとなる。
　また、遊技中において、遊技球が遊技盤面上の始動入賞部あるいは入賞装置３０の始動入賞口３４へ入賞すると、第１の図柄表示器１１の第１表示部１５，第２表示部１６，第３表示部１７及び第４表示部１８がそれぞれ変動する。
　その後、第１の図柄表示器１１の第１表示部１５，第２表示部１６，第３表示部１７及び第４表示部１８の変動が停止し、ある設定された条件として第１表示部１５，第２表示部１６，第３表示部１７及び第４表示部１８に所定の図柄が得られると大当りとなり、下部入賞装置３０の開閉板３３を最高１０回まで拡開すると共に、下部入賞装置３０の大入賞口３２を開放し、第１のＬＥＤ表示灯７が開閉板３３の拡開回数及び大入賞口３２への入賞球の個数を表示し、第１表示部１５，第２表示部１６，第３表示部１７及び第４表示部１８の大当りと同時に、第１の図柄表示器１１がモータＭにより第２の図柄表示器１２へと移行し、第２の図柄表示器１２が第７図に示すセンター役物１のベースプレート２のレンズカバー５に臨み、第２の図柄表示器１２は第１表示部２０，第２表示部２１及び第３表示部２２により図柄を表示し、第２の図柄表示器１２の第１表示部２０，第２表示部２１及び第３表示部２２の図柄の特定の組合せによる大当りの確率が１／５０で５通りとなる。
　次いで、遊技球が遊技盤面上の始動入賞部あるいは入賞装置３０の始動入賞口３４へ入賞すると、第２の図柄表示器１２の第１表示部２０，第２表示部２１及び第３表示部２２がそれぞれ変動する。
　その後、第２の図柄表示器１２の第１表示部２０，第２表示部２１及び第３表示部２２の変動が停止し、ある設定された条件として第１表示部２０，第２表示部２１及び第３表示部２２に所定の図柄が得られると大当りとなり、下部入賞装置３０の開閉板３３を最高１０回まで拡開すると共に、下部入賞装置３０の大入賞口３２を開放し、第２のＬＥＤ表示灯８が開閉板３３の拡開回数及び大入賞口３２への入賞球の個数を表示し、第１表示部２０，第２表示部２１及び第３表示部２２の大当りと同時に、第２の図柄表示器１２がモータＭにより第３の図柄表示器１３へと移行し、第３の図柄表示器１３が第９図に示すセンター役物１のベースプレート２のレンズカバー５に臨み、第３の図柄表示器１３は第１表示部２４及び第２表示部２５により図柄を表示し、第３の図柄表示器１３の第１表示部２４及び第２表示部２５の図柄の特定の組合せによる大当りの確率が１／２０で１通りとなる。
　但し、第１の図柄表示器１１が大当りのモードで、開閉板３３の拡開動作中であっても、第２の図柄表示器１２の大当りのモードでの、開閉板３３の拡開動作に移行し、開閉板３３の拡開回数が第１回目から作動するようになりている。
　次いで、遊技球が遊技盤面上の始動入賞部あるいは入賞装置３０の始動入賞口３４へ入賞すると、第３の図柄表示器１３の第１表示部２４及び第２表示部２５がそれぞれ変動する。
　その後、第３の図柄表示器１３の第１表示部２４及び第２表示部２５の変動が停止し、ある設定された条件として第１表示部２４及び第２表示部２５に所定の図柄が得られると大当りとなり、下部入賞装置３０の開閉板３３を最高１０回まで拡開すると共に、下部入賞装置３０の大入賞口３２を開放し、第３のＬＥＤ表示灯９が開閉板３３の拡開回数及び大入賞口３２への入賞球の個数を表示する。
　但し、第２の図柄表示器１２が大当りのモードで、下部入賞装置３０の開閉板３３の拡開動作中であっても、第３の図柄表示器１３の大当りのモードでの、開閉板３３の拡開動作に移行し、開閉板３３の拡開回数が第１回目から作動するようになっている。
　第３の図柄表示器１３の大当りモードにおいて、下部入賞装置３０の開閉板３３の拡開動作が終了すると、第３の図柄表示器１３がモータＭにより第１の図柄表示器１１へと移行し、第１の図柄表示器１１がセンター役物１のベースプレート２のレンズカバー５に臨む。
　第１の図柄表示器１１，第２の図柄表示器１２及び第３の図柄表示器１３の３回の大当りで得られる賞品球の差引き出玉は平均２０００個となるように、大当りの確率及び始動入賞口への１時間当りの入賞個数のベース値が設定されている。
　第１４図は本発明の別の実施例の入賞表示装置を備えたパチンコ機の概略ブロック図を示し、３６は確率切換時検出手段であり、確率切換時検出手段３６の特定入賞球検出スイッチ３７及びタイマー３８が表示切換手段としての確率切換手段３９の駆動表示体数切換手段４０にそれぞれ連絡され、駆動表示体数切換手段４０が多数のドットマトリックス発光体を有する図柄表示器４１の第１表示体４２，第２表示体４３，第３表示体４４及び第４表示体４５にそれぞれ連絡されている。
　図柄表示器４１の第１表示体４２，第２表示体４３，第３表示体４４及び第４表示体４５はそれぞれ当り判定手段４６に連絡され、当り判定手段４６が入賞口開放態様設定手段４７を介して入賞口開放手段４８に連絡され、当り判定手段４６には図柄表示器４１の起動停止手段４９の始動入賞球手段５０が連絡され、始動入賞球手段５０は図柄表示器４１に連絡されている。
　次に、この実施例の作用について説明する。
　遊技球が遊技盤面上の特定の入賞口に入賞すると、確率切換時検出手段３６の特定入賞球検出スイッチ３７がＯＮとなり、確率切換手段３９の駆動表示体数切換手段４０が特定入賞球検出スイッチ３７によって作動すると共に、駆動表示体数切換手段４０は確率切換時検出手段３６のタイマー３８によって予め定められた時間毎に作動し、図柄表示器４１の第１表示体４２，第２表示体４３，第３表示体４４及び第４表示体４５の中から駆動されるものを駆動表示体数切換手段４０によって設定する。
　図柄表示器４１の第１表示体４２及び第２表示体４３が表示可能となり、遊技球が遊技盤面上の始動入賞口に入賞すると、起動停止手段４９の始動入賞球検出手段５０が作動し、図柄表示器４１の第１表示体４２及び第２表示体４３の表示がそれぞれ変動する。
　その後、図柄表示器４１の第１表示体４２及び第２表示体４３の変動が始動入賞球検出手段５０によって停止すると、当り判定手段４６は第１表示体４２及び第２表示体４３の図柄がある設定された条件のものか否かを判定する。
　第１表示体４２及び第２表示体４３の図柄が当り判定手段４６によってある設定された条件のものである大当りと判定すると、入賞口開放態様設定手段４７が入賞口開放手段４８を作動し、入賞口開放手段４８が例えば大入賞口を３０秒間開放し、第１表示体４２及び第２表示体４３の図柄が当り判定手段４６によってある設定された条件以外のものである小当りと判定すると、入賞口開放態様設定手段４７が入賞口開放手段４８を作動し、入賞口開放手段４８が例えば大入賞口を１秒間だけ開放する。
　また、図柄表示器４１の第１表示体４２，第２表示体４３及び第３表示体４４が表示可能となり、遊技球が遊技盤面上の始動入賞口に入賞すると、起動停止手段４９の始動入賞球検出手段５０が作動し、図柄表示器４１の第１表示体４２，第２表示体４３及び第３表示体４４の表示がそれぞれ変動する。
　その後、図柄表示器４１の第１表示体４２，第２表示体４３及び第３表示体４４の変動が始動入賞球検出手段５０によって停止すると、当り判定手段４６は第１表示体４２，第２表示体４３及び第３表示体４４の図柄がある設定された条件のものか否かを判定する。
　第１表示体４２，第２表示体４３及び第３表示体４４の図柄が当り判定手段４６によってある設定された条件のものである大当りと判定すると、入賞口開放態様設定手段４７が入賞口開放手段４８を作動し、入賞口開放手段４８が例えば大入賞口を３０秒間開放し、第１表示体４２，第２表示体４３及び第３表示体４４の図柄が当り判定手段４６によってある設定された条件以外のものである小当りと判定すると、入賞口開放態様設定手段４７が入賞口開放手段４８を作動し、入賞口開放手段４８が例えば大入賞口を１秒間だけ開放する。
　さらに、図柄表示器４１の第１表示体４２，第２表示体４３，第３表示体４４及び第４表示体４５が表示可能となり、遊技球が遊技盤面上の始動入賞口に入賞すると、起動停止手段４９の始動入賞球検出手段５０が作動し、図柄表示器４１の第１表示体４２，第２表示体４３，第３表示体４４及び第４表示体４５の表示がそれぞれ変動する。
　その後、図柄表示器４１の第１表示体４２，第２表示体４３，第３表示体４４及び第４表示体４５の変動が始動入賞球検出手段５０によって停止すると、当り判定手段４６は第１表示体４２，第２表示体４３，第３表示体４４及び第４表示体４５の図柄がある設定された条件のものか否かを判定する。
　第１表示体４２，第２表示体４３，第３表示体４４及び第４表示体４５の図柄が当り判定手段４６によってある設定された条件のものである大当りと判定すると、入賞口開放態様設定手段４７が入賞口開放手段４８を作動し、入賞口開放手段４８が例えば大入賞口を３０秒間開放し、第１表示体４２，第２表示体４３，第３表示体４４及び第４表示体４５の図柄が当り判定手段４６によってある設定された条件以外のものである小当りと判定すると、入賞口開放態様設定手段４７が入賞口開放手段４８を作動し、入賞口開放手段４８が例えば大入賞口を１秒間だけ開放する。
　なお、第１図及び第１３図に示す実施例においては、第１の図柄表示器，第２の図柄表示器及び第３の図柄表示器をモータにより移行するようにしたが、１つの図柄表示器に多数のドットマトリックス発光体を配設し、図柄表示器の図柄が任意の設定された条件を満たすことにより、図柄表示器を移行することなく、図柄表示器の区画数を表示切換手段によって別の区画数に変化させることも可能である。
　本実施例においては、図柄表示器をドットマトリックスＬＥＤで構成したが、この他複数個のセグメントＬＥＤ，複数個の円筒状回転表示体もしくは複数個の円柱状回転表示体等を用い、所定の条件成立時には駆動（起動）されるセグメントＬＥＤ，回転表示体数を切替える構成としてもよい。
　また、「所定の条件」，「ある任意の設定された条件」は、遊技盤面上に複数個の特定入賞口を設け、Ａ特定入賞口に入賞あったときに区画数（駆動される図柄表示数）３個、Ｂ特定入賞口に入賞あったとき区画数２個、というように各特定入賞口に区画数を対応させてもよく、あるいは単一の特定入賞口に入る毎に順次異なる区画数、例えば３→２→４→３→２と繰り返し変換させて行く構成でもよい。
　また、特定入賞口を設けず、始動入賞口のみで区画数の設定と図柄表示器の始動停止（可変表示の）を行わせる構成としてもよい。
　その他、タイマー手段により所定時間間隔毎に順次異なる区画数に繰り返し変換させる構成としてもよい。
　発明の効果
　以上に述べたように、本発明のパチンコ機の入賞表示装置によれば、遊技中において、ある任意の設定された条件を満たすと、表示切換手段が図柄表示器の区画数を別の区画数に切換えることにより変化させるので、遊技者に対して視覚的変化を与え、遊技状態が変わったことを認識させることができる。
【図面の簡単な説明】
　第１図は、本発明の実施例のパチンコ機の入賞表示装置の正面図、
　第２図は、第１図の要部側断面図、
　第３図は、第２図の第１の図柄表示器の正面図、
　第４図は、第２図の第２の図柄表示器の正面図、
　第５図は、第２図の第３の図柄表示器の正面図、
　第６図は、第１の図柄表示器から第２の図柄表示器あるいは第３の図柄表示器へ移行するパターンを示す波形図、
　第７図は、第２の図柄表示器へ移行した状態を示す正面図、
　第８図は、第７図の要部側断面図、
　第９図は、第３の図柄表示器へ移行した状態を示す正面図、
　第１０図は、第９図の要部側断面図、
　第１１ａ図は、第１の図柄表示器を移行しないパターンを示す波形図、
　第１１ｂ図は、第１の図柄表示器を第２の図柄表示器へ移行するパターンを示す波形図、
　第１１ｃ図は、第１の図柄表示器を第３の図柄表示器へ移行するパターンを示す波形図、
　第１１ｄ図は、第１の図柄表示器を第２の図柄表示器から第３の図柄表示器へ移行するパターンを示す波形図、
　第１２ａ図，第１２ｂ図及び第１２ｃ図は、第１１ｄ図の第２の図柄表示器及び第３の図柄表示器に移行している時間の長さを異ならせたパターンを示す波形図、
　第１３図は、本発明の他の実施例のパチンコ機の入賞表示装置の正面図、
　第１４図は、本発明の別の実施例の入賞表示装置を備えたパチンコ機の概略ブロック図である。
　１…センター役物、２…ベースプレート、３…凹部、４…窓孔、
５…レンズカバー、６…入賞部、７…第１のＬＥＤ表示灯、
８…第２のＬＥＤ表示灯、９…第３のＬＥＤ表示灯、１０…支持体、
１０ａ…外周縁、１０ｂ…コーナー部、１１…第１の図柄表示器、
１２…第２の図柄表示器、１３…第３の図柄表示器、
１４…ドットマトリックス発光体、１５…第１表示部、１６…第２表示部、
１７…第３表示部、１８…第４表示部、１９…ドットマトリックス発光体、
２０…第１表示部、２１…第２表示部、２２…第３表示部、
２３…ドットマトリックス発光体、２４…第１表示部、２５…第２表示部、
２６…誘導孔、２７…支持ピン、２８…駆動軸、３０…下部入賞装置、
３１…ベースプレート、３２…大入賞口、３３…開閉板、３４…始動入賞口、
３５…表示灯、３６…確率切換時検出手段、３７…特定入賞球検出スイッチ、
３８…タイマー、３９…確率切換手段、４０…駆動表示体数切換手段、
４１…図柄表示器、４２…第１表示体、４３…第２表示体、
４４…第３表示体、４５…第４表示体、４６…当り判定手段、
４７…入賞口開放態様設定手段、４８…入賞口開放手段、４９…起動停止手段、
５０…始動入賞球手段、Ｍ…モータ。